(57)【要約】【課題】  電子機器が携帯中か否かなどの状態を検知し、適切でない状態での録画を中止する技術を提供する。【解決手段】  放送されたデータ信号を受信し、前記データ信号を予め設定した時間に記憶部に記録させ、前記データ信号の記録に係る状況を検知し、前記データ信号を記録させ、前記検知結果に応じて前記データ信号の記録を中止する。【選択図】  図１
2006186874.tif 000002
【特許請求の範囲】
【請求項１】
放送されたデータ信号を受信する受信部と、
前記データ信号を予め設定した時間に記憶部に記録させる制御部と、
前記データ信号の記録に係る状況を検知する状況検知部とを備え、
前記制御部が、前記状況検知部の検知結果に応じて前記データ信号の記録を中止する電子機器。
【請求項２】
前記状況検知部が、前記データ信号の記録を開始する際に、電子機器が移動中であるか否かを検知し、移動中である場合には、前記制御部が前記データ信号の記録を中止する請求項１に記載の電子機器。
【請求項３】
当該電子機器がバッテリ及び外部電源の双方で駆動可能であり、前記状況検知部が、前記データ信号の記録を開始する際に、前記バッテリが利用されているか否かを検知し、バッテリが利用されている場合には、前記制御部が前記データ信号の記録を中止する請求項１に記載の電子機器。
【請求項４】
使用状態又は非使用状態の切り替えが可能な表示部を更に備え、
前記状況検知部が、前記データ信号の記録を開始する際に、前記表示部が使用状態か非使用状態かを検知し、非使用状態である場合には、前記制御部が前記データ信号の記録を中止する請求項１に記載の電子機器。
【請求項５】
前記電子機器が、ＢＩＯＳ及びＯＳを利用するコンピュータであり、
該ＢＩＯＳが、前記状況検知部による検知を実行させ、この検知結果に応じ、前記データ信号の記録を中止する場合には、前記ＯＳを起動せずにコンピュータの電源をオフにする請求項１から４の何れかに記載の電子機器。
【請求項６】
コンピュータに、
放送されたデータ信号を受信するステップと、
前記データ信号を予め設定した時間に記憶部に記録させるステップと、
前記データ信号の記録に係る状況を検知するステップとを実行させ、
前記データ信号を記録させるステップにて、前記検知結果に応じて前記データ信号の記録を中止する記録制御方法。
【請求項７】
前記データ信号の記録を開始する際に、電子機器が移動中であるか否かを検知し、移動中である場合には、前記データ信号の記録を中止する請求項６に記載の記録制御方法。
【請求項８】
前記コンピュータが、バッテリ及び外部電源の双方で駆動可能であり、前記データ信号の記録を開始する際に、前記バッテリが利用されているか否かを検知し、バッテリが利用されている場合には、前記データ信号の記録を中止する請求項６に記載の記録制御方法。
【請求項９】
前記コンピュータが使用状態又は非使用状態の切り替えが可能な表示部を備えており、
前記データ信号の記録を開始する際に、前記表示部が使用状態か非使用状態かを検知し、非使用状態である場合には、前記データ信号の記録を中止する請求項６に記載の記録制御方法。
【請求項１０】
コンピュータに、
放送されたデータ信号を受信するステップと、
前記データ信号を予め設定した時間に記憶部に記録させるステップと、
前記データ信号の記録に係る状況を検知するステップとを実行させ、
前記データ信号を記録させるステップにて、前記検知結果に応じて前記データ信号の記録を中止するプログラム。
【発明の詳細な説明】
【技術分野】
【０００１】
本発明は、テレビやラジオ放送を受信して記録する技術に関する。
【背景技術】
【０００２】
近年、テレビ放送の受信機能を搭載し、テレビ放送を予約録画することが可能なパーソナルコンピュータ（ＰＣ）が広く普及してきている。これに伴い、ノートＰＣなどの携帯型電子機器においてもテレビ機能が搭載されたものが増えてきている。
【０００３】
また、本願発明に関連する先行技術として、例えば、下記の特許文献に開示される技術がある。
【特許文献１】特開平９−２００６７１号公報
【特許文献２】特開２００３−２１９２９６号公報
【特許文献３】特開２０００−２５１４０８号公報
【特許文献４】特開２００３−２８３９５８号公報
【特許文献５】特開平８−８４４４０号公報
【発明の開示】
【発明が解決しようとする課題】
【０００４】
従来のテレビ放送の予約録画機能をもつ携帯型電子機器においては、録画を予約したことを使用者が忘れるなどにより、使用者が意図しない状態で予約録画が行われることがあった。
【０００５】
例えば、この録画の予約を忘れ、ユーザが携帯型電子機器を持って外出した場合、この外出中に録画が行われてしまうと、バッテリで動作しなければならず、録画を完全に行うことができない或は録画後に外出先で使用する際に電力が足りない等の問題が生じる場合があった。
また、鞄などの中に入れて持ち歩き中に録画が開始されると、鞄の中などでは携帯型電子機器からの放熱が十分に行われず、機器にダメージを与える場合があった。
【０００６】
また、外部のアンテナを接続して録画するつもりで予約したところ、この録画の予約を忘れて携帯型電子機器を持ち出した場合、録画が開始されてもアンテナが接続されていないので、受信状態の悪い映像が録画されることになってしまい無駄になってしまう。
【０００７】
なお、上記特許文献１に示される先行技術は、タイマ録画中に電源が切れることを防止し、バッテリ切れによるタイマ予約録画の失敗を未然に防ぐことを開示している。この先行技術では、この録画失敗の予防のため、使用者からのタイマ予約指示があったときに装置がバッテリ駆動であればその予約を受け付けないようにしている。
【０００８】
この先行技術では録画失敗を予防できるが、予約しようとしている録画開始時刻が例え自宅等で装置がＡＣ電源により駆動できるような場合であっても、バッテリ駆動しているときには使用者はそのタイマ予約さえできない。このため、使用者がタイマ予約することを忘れてしまい、必要な録画がされないという問題が生じる。
【０００９】
さらに、このような録画中においては、ＣＰＵ及び映像を記録しておくためのハードディスクは常時稼働状態になって多大な熱を発することになる。例えばノートＰＣのような開閉可能な表示部がコンピュータ本体部とヒンジで連結されるような装置において、表示部が閉状態で長時間の録画処理が実行されると、前述のようなＣＰＵとハードディスクの
発熱により、コンピュータ本体部の内部が高温になり、その結果ＣＰＵが熱暴走して正常な録画処理が実行されないという問題点もあった。
【００１０】
そこで本発明は、電子機器が携帯中か否かなどの所定の状態を検知し、適切でない状態での録画等の処理を中止する技術を提供する。
【課題を解決するための手段】
【００１１】
上記課題を解決するため、本発明は、以下の構成を採用した。
即ち、本発明の電子機器は、
放送されたデータ信号を受信する受信部と、
前記データ信号を予め設定した時間に記憶部に記録させる制御部と、
前記データ信号の記録に係る状況を検知する状況検知部とを備え、
前記制御部が、前記状況検知部の検知結果に応じて前記データ信号の記録を中止する。
【００１２】
前記電子機器において、前記状況検知部が、前記データ信号の記録を開始する際に、電子機器が移動中であるか否かを検知し、移動中である場合には、前記制御部が前記データ信号の記録を中止するようにしても良い。
【００１３】
また、前記電子機器において、バッテリ及び外部電源の双方で駆動可能であり、前記状況検知部が、前記データ信号の記録を開始する際に、前記バッテリが利用されているか否かを検知し、バッテリが利用されている場合には、前記制御部が前記データ信号の記録を中止するようにしても良い。
【００１４】
前記電子機器において、使用状態又は非使用状態の切り替えが可能な表示部を更に備え、
前記状況検知部が、前記データ信号の記録を開始する際に、前記表示部が使用状態か非使用状態かを検知し、非使用状態である場合には、前記制御部が前記データ信号の記録を中止するようにしても良い。
【００１５】
更に、前記電子機器が、ＢＩＯＳ及びＯＳを利用するコンピュータであり、
該ＢＩＯＳが、前記状況検知部による検知を実行させ、この検知結果に応じ、前記データ信号の記録を中止する場合には、前記ＯＳを起動せずにコンピュータの電源をオフにする構成であっても良い。
【００１６】
また、本発明の記録制御方法は、
コンピュータに、
放送されたデータ信号を受信するステップと、
前記データ信号を予め設定した時間に記憶部に記録させるステップと、
前記データ信号の記録に係る状況を検知するステップとを実行させ、
前記データ信号を記録させるステップにて、前記検知結果に応じて前記データ信号の記録を中止する。
【００１７】
前記記録制御方法においては、前記データ信号の記録を開始する際に、コンピュータが移動中であるか否かを検知し、移動中である場合には、前記データ信号の記録を中止するようにしても良い。
【００１８】
前記記録制御方法において、前記コンピュータが、バッテリ及び外部電源尾双方で駆動可能であり、前記データ信号の記録を開始する際に、前記バッテリが利用されているか否かを検知し、バッテリが利用されている場合には、前記データ信号の記録を中止するようにしても良い。
【００１９】
また、前記記録制御方法において、前記コンピュータが使用状態又は非使用状態の切り替えが可能な表示部を備えており、
前記データ信号の記録を開始する際に、前記表示部が使用状態か非使用状態かを検知し、非使用状態である場合には、前記データ信号の記録を中止するようにしても良い。
【００２０】
また本発明は、前記記録制御方法をコンピュータに実行させるプログラムであっても良い。更に、本発明は、このプログラムをコンピュータが読み取り可能に記録した記録媒体であっても良い。そして、コンピュータに、この記録媒体のプログラムを読み込ませて実行させることにより、その機能を提供させることができる。
【００２１】
ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
また、コンピュータに固定された記録媒体としてハードディスクやＲＯＭ（リードオンリーメモリ）等がある。
【発明の効果】
【００２２】
本発明は、電子機器が携帯中か否かなどの状態を検知し、適切でない状態での録画等の処理を中止する技術を提供できる。また、本発明によれば、使用者による任意の時点でのタイマ予約を指示可能としてタイマ予約操作の忘却を防止しつつ、そのタイマ予約された処理が無駄に実行されることを抑止できる。また、本発明によれば、電子機器の熱暴走を発生することなく正常なタイマ予約録画を実現できる。
【発明を実施するための最良の形態】
【００２３】
以下、図面を参照して本発明を実施するための最良の形態について説明する。この実施の形態の構成は例示であり、本発明は実施の形態の構成に限定されない。
図１は、本実施形態における電子機器の概略構成図、図２は該電子機器の外観図である。図１に示すように、電子機器１は、本体１１内にＣＰＵ（Central Processing Unit）
やメインメモリ等よりなる演算処理部１２、演算処理の為のデータやソフトウェアを記憶した記憶部（ハードディスク）１３、入出力ポート１４、通信制御部（ＣＣＵ：Communication Control Unit）１５、ＣＭＯＳメモリ１６、チューナユニット（受信部）１７、タイマ１８、電源部１９等を備えた一般的なコンピュータ（本例ではノートＰＣ）である。
【００２４】
該入出力ポート１４には、キーボード５４やＣＤ−ＲＯＭドライブ６２、表示部の開閉センサ（状況検知部）５１等の入力デバイス、そしてディスプレイ（表示部）１４ａやスピーカ等の出力デバイスが適宜接続される。
ＣＣＵ１５は、ネットワークを介して他のコンピュータと通信を行うものである。
ＣＭＯＳメモリ１６は、ＢＩＯＳ(Basic Input Output System)としてのプログラム及
びＢＩＯＳの動作についての設定情報を記憶している。
【００２５】
記憶部１３には、オペレーティングシステム（ＯＳ）やアプリケーションソフトがインストールされている。また、記憶部１３には、チューナユニット１７で受信したデータ信号が記録される。
【００２６】
演算処理部１２は、起動時にＣＭＯＳメモリ１６からＢＩＯＳを読み出してパスワードの認証や、ＰＯＳＴ( Power On Self Test)、デバイスの初期化、ＯＳの起動等の起動処
理を行う。これにより演算処理部１２は、本発明における制御部としても機能している。
また、演算処理部１２は、前記ＯＳやアプリケーションプログラムを記憶部１３から適宜読み出して実行し、入出力ポート１４やＣＣＵ１５から入力された情報、及び記憶部１３から読み出した情報を演算処理することにより、予約設定部や、録画実行部、再生部としても機能する。
【００２７】
この予約設定部としては、表示装置１４ａに入力画面を表示させる等してユーザからの録画の予約入力を受け付け、入力された予約情報を記憶部１３に記憶させると共に、この録画のためにＰＣ１を起動する時間をＣＭＯＳメモリに記憶させる。
【００２８】
録画実行部としては、前記予約設定部によって設定された予約時間と、タイマ１８の現在時刻を比較し、予約時間になった場合には、チューナユニット１７で受信されたＴＶ放送のデータ信号を記憶部１３に記録させて録画を行う。
【００２９】
再生部としては、ユーザの操作によって録画したテレビ放送の再生が指示された場合に、前記記憶部１３からデータ信号を読み出して、表示部１４ａに画像を表示すると共に、スピーカ等から音声を出力する。
【００３０】
電源部１９は、バッテリ１９ａ、ＡＣ電源回路１９ｂ、電源制御回路１９ｃなどよりなっている。ＡＣ電源回路１９ｂは、不図示のプラグを商用電源のコンセントに接続した場合に、この電力の供給を受け、整流、変圧等を行って所定の電圧値・電流値で上記各部へ供給する。
【００３１】
電源制御回路１９ｃは、ＡＣ電源回路１９ｂが商用電源に接続されている場合、即ち、ＡＣ電源回路１９ｂから電力が出力されている場合には、この電力を前記各部に供給し、ＡＣ電源回路から電力が出力されていない場合にバッテリから電力を前記各部へ供給するように切り替えを行う。また、電源制御回路１９ｃは、バッテリ１９ａの残電力量を検出し、その残電力量が所定値より少なければＡＣ電源回路１９ｂからバッテリ１９ａに電力を供給して充電を行い、この電力量が満充電に達したら充電を停止させる。そして電源制御回路１９ｃは、このＡＣ電源回路１９ｂから電力を供給しているのかや、バッテリ１９ａから電力を供給しているのか、バッテリ１９ａの残電力量の情報を状況情報として演算処理部１２に通知しており、状況検知部としても機能する。
【００３２】
また、図２中、ノートＰＣ１は、コンピュータ本体１１と、これにヒンジ５２によって開閉可能に連結してある表示部１４ａとからなる。なお、この表示部１４ａを閉じると、表示部前面が開閉センサ５１の接触子を押し下げることで閉じた状態であることが検知される。開閉センサ５１は、この表示部１４ａが閉じた状態か否かの検知信号を演算処理部１２に通知している。
【００３３】
矢印Ｘ１，Ｘ２はノートＰＣ１の幅方向、矢印Ｙ１，Ｙ２は奥行き方向、矢印Ｚ１，Ｚ２は高さ（厚さ）方向を示す。コンピュータ本体１１は、上面にキーボード部５４を有し、内部にＣＰＵ等を有し、下部右側に拡張ユニットを収容する拡張ベイ５６が形成されている。拡張ベイ５６は、コンピュータ本体１１の右側面５７に拡張ユニットの挿入口としての開口５８を有する。拡張ベイ５６は、この開口５８から矢印Ｘ２方向へ装置中程にかけてのスリット状であり、そのＸ２側端部には、コネクタ５９が設けられている。なお、コネクタ５９は、コンピュータ本体５１内部に位置するため、図２では、本体５１の上面の一部を切り欠いて示している。
【００３４】
また、拡張ユニットとしては、チューナユニット１７や、ＦＤユニット６１、ＣＤ−ＲＯＭユニット６２などが用意されている。これらの拡張ユニット１７，６１，６２は、拡張ベイ５６に嵌装可能な平板状であり、差し込み方向（Ｘ２）の先端部にコネクタ５９と
嵌合するコネクタ６３を有する。該ユニット１，６１，６２は、それぞれ排他的に拡張ベイ５６に装着される。これによって、ノートＰＣ１は、コネクタ５９を通じて拡張ユニットにアクセス可能となり、その機能を拡張できる。
【００３５】
即ち、ユーザは、利用したい機能に応じてチューナユニット１７、ＦＤユニット６１、ＣＤ−ＲＯＭユニット６２の何れかを選択し、拡張ベイ５６に嵌装する。なお、前記拡張ベイ５６は、種々の用語で称されることがあり、ベイ、拡張スロット、マルチベイ、マルチパーパスベイ（多目的ベイ）と称されることもある。
【００３６】
図３は、チューナユニット１７の概略構成図である。上述の如く筐体１０の外形形状は略平板状であり、その挿入方向（Ｘ２方向）先端面から突出させてコネクタ６３が設けられている。また、挿入方向後端面、即ち拡張ベイ５６に嵌装した際に外側に位置し、ノートＰＣ２の右側面５７と面一となる外装面６４には、ヘッドフォンアンテナジャック（接続部）６０、Ｓ−ｖｉｄｅｏ入力端子６５、コンポジット入力端子６６が列設されている。このヘッドフォンアンテナジャック６０に、ヘッドフォンアンテナ３ＨＡ或はアンテナ３Ａが接続され、このアンテナ３Ａ／３ＨＡを介してテレビ放送のデータ信号が受信される。
【００３７】
これらの構成のノートＰＣ１によって実行される録画の予約設定、及び予約録画の方法について図４，図５を用いて説明する。
【００３８】
先ず、ノートＰＣ１が起動している状態で、ユーザが録画用のソフトを起動し、予約の設定を選択すると、インターネット等のネットワークを介して図６に示すような予約用の番組表をサーバから取得し、予約画面７１として表示する（ステップ１、以下Ｓ１のように略記する）。ユーザがこの番組表から予約したい番組の予約ボタン７２を選択すると、ノートＰＣ１は、このサーバから当該番組の予約時間（開始時刻、終了時刻）、延長の有無、番組タイトル、チャンネル番号などの予約情報を取得する（Ｓ２）。
【００３９】
ノートＰＣ１は、この予約情報を表示部１４ａに表示すると共に記憶部１３に記憶させる（Ｓ３）。なお、予約情報の入力方法としては、これに限らず、予約時間やチャンネル番号などの予約情報の入力画面を表示して、キーボードから予約時間やチャンネル番号を任意に入力しても良い。
【００４０】
そしてノートＰＣ１は、シャットダウン、スタンバイや休止状態への移行を指示されたときに、この記憶部１３の予約情報を読出し、次の予約の開始時刻よりも所定時間（即ち起動にかかる時間）早い時刻を起動時刻としてＣＭＯＳメモリに登録し（Ｓ４）、シャットダウン、スタンバイ或は休止する。
【００４１】
ノートＰＣ１に内蔵のタイマ１８は、このシャットダウン、スタンバイ或は休止した状態において、図５のようにタイマ１８の現在時刻と前記起動時刻を比較し、起動時刻に達した場合にノートＰＣ１の起動を開始する（Ｓ１１〜Ｓ１２）。
【００４２】
ノートＰＣ１は、起動すると先ずＢＩＯＳが、状況情報として開閉センサ５１による表示部１４ａの開閉状態や、電源制御部１９ｃによるバッテリで駆動されているか否かの情報を取得する（Ｓ１３）。
【００４３】
そして、ノートＰＣ１は、制御部の機能により、所定の状況である、表示部１４ａが閉じている場合、或はバッテリで駆動されている場合、或はその両方である場合に、例えばユーザが当該ノートＰＣ１を携帯中であると判定し、ＯＳの読出し等の起動処理を行わずに起動前の状態に戻る。即ち、録画処理の実行を中止する（Ｓ１４〜Ｓ１５）。その後に
、起動前の状態（シャットダウン、スタンバイや休止）に戻る（Ｓ２０）。
【００４４】
また、ノートＰＣ１は、表示部１４ａが閉じていない場合、或いはＡＣ電源で駆動されている場合には、例えばユーザが当該ノートＰＣ１を携帯中でないと判定し、起動処理を続行する（Ｓ１４，Ｓ１６）。
【００４５】
そしてＯＳ起動後、録画実行部の機能により、録画開始時刻に録画を開始し（Ｓ１７〜Ｓ１８）、タイマ１８の現在時刻が記憶部１３に記憶されている終了時刻に達したときに録画を終了し（Ｓ１９）、起動前の状態（シャットダウン、スタンバイや休止）に戻る（Ｓ２０）。
【００４６】
このように本実施形態によれば、バッテリ１９ａで駆動されているか、或は表示部１４ａが閉じた状態かによって携帯中か否かを判定し、ＰＣ１が携帯中であれば録画を中止することができる。これにより、不用意に録画が開始されて外出先でバッテリの電力が足りなくなることやアンテナを外した状態で録画してしまうことや機器が加熱することを防止できる。
【００４７】
また、本実施形態において表示部１４ａの閉状態では録画処理を中止し、ＣＰＵ及びハードディスクにより発生する熱が本体部表面から放熱される表示部１４ａの開状態でのみ録画処理を実行することにより、熱暴走の発生を回避し、正常な録画処理を実現することができる。
【００４８】
〈その他の実施形態〉
本発明は、上述の図示例にのみ限定されるものではなく、本発明の要旨を逸脱しない範囲内において種々変更を加え得ることは勿論である。
【００４９】
本実施形態では、状況情報として表示部１４ａの開閉状態とバッテリ駆動か否かを検知して携帯中か否かを判定したが、これに限らず、温度センサによるＣＰＵの温度や、ＧＰＳによる位置情報、振動センサによる振動の有無、光センサによる周辺の光量、アンテナの接続の有無など、他の情報に基づいて判定しても良い。
【００５０】
すなわち、例えば、表示部が閉じた状態で、ＣＰＵの温度が所定値より高い場合には、カバンなどに収納されて携帯中と判定してもよい。また、ＧＰＳによる位置情報が、自宅や会社など所定の位置範囲以外の場合に外出中（携帯中）と判定してもよい。振動センサによる振動が、徒歩や電車などの所定のパターンと合致した場合や振動が通常のノートＰＣの動作振動と比べて大きい場合に携帯中と判定してもよい。ヘッドフォンアンテナジャック６０にアンテナ３ＨＡ，３Ａが接続されているか否かを検出し、接続されていない場合には携帯中と判定してもよい。光センサの受光量が、所定光量未満であってタイマ１８の現在時刻が日出の時間帯である場合、カバンなどに収納されて携帯中と判定してもよい。
【００５１】
また、予約設定部は、起動時刻と共に、この起動時刻が録画の予約時間である旨を示す情報をＣＭＯＳメモリに登録しても良い。そしてこの起動時刻に達して起動した時にＢＩＯＳは、この起動時刻が録画の予約であるか否かの情報を参照し、録画の予約であれば前述のとおり録画を中止するか否かの処理（Ｓ１３〜Ｓ１８）を行い、該起動時刻が録画の予約でなければ前記処理（Ｓ１３〜Ｓ１８）を行わずに起動処理を行うように処理シーケンスを切り替えても良い。これにより、他のスケジューリングソフトによって起動時刻が設定された場合には、前記処理によって起動が中止されることを防止できる。
【００５２】
また、状況情報を取得し、所定の状況である表示部１４ａが閉じている場合、或はバッ
テリで駆動されている場合に（Ｓ１４）、図７に示すようなに、録画処理の中止可否を問い合わせるメッセージを画面に表示するようにしてもよい。このメッセージに対し、ユーザが中止許可を選択した場合（画面にて「はい」を選択した場合）、もしくは所定時間内に何も指示入力がなかった場合に、録画処理を中止するようにし（Ｓ１５）、ユーザが録画中止の拒否を選択した場合（画面にて「いいえ」を選択した場合）に起動処理を続行するようにしてもよい（Ｓ１６）。このように、タイマ予約録画を中止する状況の際にユーザにその録画中止可否を問い合わせることにより、例えばバッテリ駆動状況であってもタイマ予約した録画がバッテリ残量内で完了可能とユーザが判断できればその録画が可能となる。また、タイマ予約録画を中止する状況がアンテナ未接続であった場合は、ユーザはアンテナを接続して録画処理の準備ができ、その録画が可能となる。
【００５３】
さらに、上述のように、メッセージを画面に表示してユーザにタイマ予約録画の中止／続行に関する選択をさせるのではなく、中止する旨を画面に表示してタイマ予約録画を中止するようにしてもよい。このような構成にすることで、ユーザは予約録画が中止されることを認知でき、中止された後に再度タイマ予約して、もしくは手動操作で録画処理を行うことができる。
また、以下に付記した構成であっても上述の実施形態と同様の効果が得られる。また、これらの構成要素は可能な限り組み合わせることができる。
【００５４】
（付記１）
放送されたデータ信号を受信する受信部と、
前記データ信号を予め設定した時間に記憶部に記録させる制御部と、
前記データ信号の記録に係る状況を検知する状況検知部とを備え、
前記制御部が、前記状況検知部の検知結果に応じて前記データ信号の記録を中止する電子機器。（１）
【００５５】
（付記２）
前記状況検知部が、前記データ信号の記録を開始する際に、電子機器が移動中であるか否かを検知し、移動中である場合には、前記制御部が前記データ信号の記録を中止する付記１に記載の電子機器。（２）
【００５６】
（付記３）
当該電子機器はバッテリ及び外部電源の双方で駆動可能であり、前記状況検知部が、前記データ信号の記録を開始する際に、前記バッテリが利用されているか否かを検知し、バッテリが利用されている場合には、前記制御部が前記データ信号の記録を中止する付記１に記載の電子機器。（３）
【００５７】
（付記４）
使用状態又は非使用状態の切り替えが可能な表示部を更に備え、
前記状況検知部が、前記データ信号の記録を開始する際に、前記表示部が使用状態か非使用状態かを検知し、非使用状態である場合には、前記制御部が前記データ信号の記録を中止する付記１に記載の電子機器。（４）
【００５８】
（付記５）
当該電子機器は、表示部と、ヒンジにより該表示部が開閉可能に連結された本体部とからなり、
前記状況検知部が、前記データ信号の記録を開始する際に、前記表示部が閉状態の場合には、前記制御部が前記データ信号の記録を中止する付記１に記載の電子機器。
【００５９】
（付記６）
前記電子機器が、ＢＩＯＳ及びＯＳを利用するコンピュータであり、
該ＢＩＯＳが、前記状況検知部による検知を実行させ、この検知結果に応じ、前記データ信号の記録を中止する場合には、前記ＯＳを起動せずにコンピュータの電源をオフにする付記１から５の何れかに記載の電子機器。（５）
【００６０】
（付記７）
前記状況検知部の検知結果に応じ前記データ信号の記録を中止する状況の場合に、前記制御部が記録中止の可否を問い合わせるメッセージを表示部に表示させ、記録中止可の指示入力があった場合に、前記データ信号の記録を中止する付記１から６の何れかに記載の電子機器。
【００６１】
（付記８）
コンピュータが、
放送されたデータ信号を受信するステップと、
前記データ信号を予め設定した時間に記憶部に記録させるステップと、
前記データ信号の記録に係る状況を検知するステップとを備え、
前記データ信号を記録させるステップにて、前記検知結果に応じて前記データ信号の記録を中止する記録制御方法。（６）
【００６２】
（付記９）
前記データ信号の記録を開始する際に、電子機器が移動中であるか否かを検知し、移動中である場合には、前記データ信号の記録を中止する付記８に記載の記録制御方法。（７）
【００６３】
（付記１０）
前記コンピュータが、バッテリ及び外部電源の双方で駆動可能であり、前記データ信号の記録を開始する際に、前記バッテリが利用されているか否かを検知し、バッテリが利用されている場合には、前記データ信号の記録を中止する付記８に記載の記録制御方法。（８）
【００６４】
（付記１１）
前記コンピュータが使用状態又は非使用状態の切り替えが可能な表示部を備えており、
前記データ信号の記録を開始する際に、前記表示部が使用状態か非使用状態かを検知し、非使用状態である場合には、前記データ信号の記録を中止する付記８に記載の記録制御方法。（９）
【００６５】
（付記１２）
前記コンピュータは、表示部と、ヒンジにより該表示部が開閉可能に連結された本体部とからなり、
前記データ信号の記録を開始する際に、前記表示部が閉状態の場合には、前記データ信号の記録を中止する付記８に記載の記録制御方法。
【００６６】
（付記１３）
前記コンピュータのＢＩＯＳが、前記記録に係る状況の検知を実行させ、この検知結果に応じ、前記制御部が前記データ信号の記録を中止する場合には、前記ＯＳを起動せずにコンピュータの電源をオフにする付記８から１２の何れかに記載の記録制御方法。
【００６７】
（付記１４）
前記コンピュータは、前記データ信号の記録を中止する状況を検知した場合に、前記記録中止の可否を問い合わせるメッセージを表示部に表示させ、記録中止可の指示入力があ
った場合に、前記データ信号の記録を中止する付記８から１３の何れかに記載の記録制御方法。
【００６８】
（付記１５）
コンピュータに、
放送されたデータ信号を受信するステップと、
前記データ信号を予め設定した時間に記憶部に記録させるステップと、
前記データ信号の記録に係る状況を検知するステップとを実行させ、
前記データ信号を記録させるステップにて、前記検知結果に応じて前記データ信号の記録を中止するプログラム。（１０）
【００６９】
（付記１６）
前記データ信号の記録を開始する際に、前記コンピュータが移動中であるか否かを検知し、移動中である場合には、前記データ信号の記録を中止する付記１５に記載のプログラム。
【００７０】
（付記１７）
前記コンピュータが、バッテリ及び外部電源の双方により駆動可能であり、前記データ信号の記録を開始する際に、前記バッテリが利用されているか否かを検知し、バッテリが利用されている場合には、前記データ信号の記録を中止する付記１５に記載のプログラム。
【００７１】
（付記１８）
前記コンピュータが使用状態又は非使用状態の切り替えが可能な表示部を備えており、
前記データ信号の記録を開始する際に、前記表示部が使用状態か非使用状態かを検知し、非使用状態である場合には、前記データ信号の記録を中止する付記１５に記載のプログラム。
【００７２】
（付記１９）
前記コンピュータは、表示部と、ヒンジにより該表示部が開閉可能に連結された本体部とからなり、
前記データ信号の記録を開始する際に、前記表示部が閉状態の場合には、前記データ信号の記録を中止する付記１５に記載のプログラム。
【００７３】
（付記２０）
前記コンピュータのＢＩＯＳが、前記記録に係る状況の検知を実行させ、この検知結果に応じ、前記制御部が前記データ信号の記録を中止する場合には、前記ＯＳを起動せずにコンピュータの電源をオフにする付記１５から１９の何れかに記載のプログラム。
【００７４】
（付記２１）
前記コンピュータに、前記データ信号の記録を中止する状況を検知した場合に、前記記録中止の可否を問い合わせるメッセージを表示部に表示させるステップを実行させ、
記録中止可の指示入力があった場合に、前記データ信号の記録を中止させる付記１５から２０の何れかに記載のプログラム。
【００７５】
（付記２２）
処理開始時刻を指定する入力部と、
前記指定された処理開始時刻に基づいて、指定された処理の実行を開始する制御部と、
前記処理に係る状況を検知する状況検知部とを備え、
前記制御部が、前記状況検知部の検知結果に応じて前記処理の続行を中止する電子機器
。
【００７６】
（付記２３）
コンピュータが、
処理開始時刻の指定を入力するステップと、
前記指定された処理開始時刻に基づいて、指定された処理の実行を開始するステップと、
前記処理に係る状況を検知するステップとを備え、
前記処理を開始するステップにて、前記検知結果に応じて前記処理の続行を中止する処理制御方法。
【００７７】
（付記２４）
コンピュータに、
処理開始時刻の指定を入力するステップと、
前記指定された処理開始時刻に基づいて、指定された処理の実行を開始するステップと、
前記処理に係る状況を検知するステップとを実行させ、
前記処理を開始するステップにて、前記検知結果に応じて前記処理の続行を中止するプログラム。
【産業上の利用可能性】
【００７８】
本発明は、前記パーソナルコンピュータのほか、ＰＤＡ(personal digital assistant)や携帯電話等に広く利用可能である。
【図面の簡単な説明】
【００７９】
【図１】実施形態１の電子機器の概略構成図
【図２】実施形態１の電子機器の外観図
【図３】チューナユニットの概略構成図
【図４】録画の予約設定方法の説明図
【図５】予約録画の方法の説明図
【図６】予約用の番組表の表示例を示す図
【図７】録画処理中止可否の問い合わせ画面を示す図
【符号の説明】
【００８０】
１  電子機器（ノートＰＣ）
１１  本体
１２  演算処理部
１３  記憶部（ハードディスク）
１４  入出力ポート
１５  通信制御部（ＣＣＵ：Communication Control Unit）
１６  ＣＭＯＳメモリ
１７  チューナユニット（受信部）
１８  タイマ
１９  電源部
【図１】
2006186874.tif 000003
【図２】
2006186874.tif 000004
【図３】
2006186874.tif 000005
【図４】
2006186874.tif 000006
【図５】
2006186874.tif 000007
【図６】
2006186874.tif 000008
【図７】
2006186874.tif 000009